(57)【要約】【課題】屋根葺き工事の能率化、容易化を図ることのできる屋根葺き方法を提供する。【解決手段】折板成形機４で成形された折板を建物１の屋根施工面に送出す折板送出工程と、折板成形機４を建物１に沿って折板の働き幅で移動させる成形機移動工程と、を順次繰り返して実行し、屋根葺きを行う屋根葺き方法であって、建物１に沿って地上で移動可能な移動式作業架台２と、移動式作業架台２上で建物１に沿って移動可能な移動式設置台５と、を備え、移動式設置台５上に折板成形機４を設置し、成形機移動工程は、移動式作業架台２を移動させる架台移動工程と、移動式作業架台２に対して移動式設置台５を移動させる設置台移動工程と、を備えている。【選択図】図１
2019031800.tif 000002
【特許請求の範囲】
【請求項１】
折板成形機で成形された折板を建物の屋根施工面に送出す折板送出工程と、
前記折板成形機を前記建物に沿って前記折板の働き幅で移動させる成形機移動工程と、
を順次繰り返して実行し、屋根葺きを行う屋根葺き方法であって、
前記建物に沿って地上で移動可能な移動式作業架台と、当該移動式作業架台上で前記建物に沿って移動可能な移動式設置台と、を備え、
前記移動式設置台上に前記折板成形機を設置し、
前記成形機移動工程は、前記移動式作業架台を移動させる架台移動工程と、前記移動式作業架台に対して前記移動式設置台を移動させる設置台移動工程と、を備えている屋根葺き方法。
【請求項２】
前記成形機移動工程は、前記設置台移動工程を設定回数繰り返し実行して、前記折板成形機を前記建物に沿って前記折板の働き幅分ずつ移動させるとともに、当該設置台移動工程を設定回数実行する毎に、前記移動式設置台を初期位置側に戻しつつ前記架台移動工程を実行して、前記移動式作業架台を前記建物に沿って前記折板送出工程の実行回数による合計働き幅分を移動させる請求項１記載の屋根葺き方法。
【請求項３】
前記折板の加工素材である薄鉄板を巻いたコイルを支持するコイル支持部が、前記折板成形機の上部に配設されている請求項１又は２記載の屋根葺き方法。
【発明の詳細な説明】
【技術分野】
【０００１】
本発明は、折板成形機で成形された折板を建物の屋根施工面に送出す折板送出工程と、前記折板成形機を前記建物に沿って前記折板の働き幅で移動させる成形機移動工程と、を順次繰り返して実行し、屋根葺きを行う屋根葺き方法に関する。
【背景技術】
【０００２】
上述の屋根葺き方法として、例えば、特許文献１に示す屋根貼り工法が存在する。この工法では、建物に沿って地上で移動可能な移動式作業架台が備えられている。この移動式作業架台は、建物の屋根施工面の最下端に対応した高さ位置にまで組付けられ、下部には、地上に敷設されたレールに沿って自走移動させるための走行部が設けられている。
移動式作業架台の頂部床には折板成形機が設置され、移動式作業架台の下方側の台床には、折板の加工素材である薄鉄板をコイル状に巻いたホットコイル（熱延広幅帯鋼）を回転自在に支持するアンコイラーが設置されている。
移動式作業架台の台床のホットコイルから引き出された薄鉄板は、移動式作業架台の頂部床の折板成形機にまで揚送搬送される。揚送搬送された薄鉄板は折板成形機において所定形状の折板に連続的に成形されて送出される。
【０００３】
折板送出工程においては、折板成形機で成形された折板を自走式の折板搬送機の吸着部で吸着保持させ、建物の屋根施工面における折板敷設対象列に沿って搬送する。搬送された折板が建物の屋根施工面に取付けられると、成形機移動工程に移行する。この成形機移動工程では、移動式作業架台を折板の働き幅分だけ移動させる。成形機移動工程が終了すると、再び折板送出工程に移行する。
【先行技術文献】
【特許文献】
【０００４】
【特許文献１】特開平７−１５８２２３号公報
【発明の概要】
【発明が解決しようとする課題】
【０００５】
従来の工法では、折板成形機を頂部床に配置した大重量の移動式作業架台を、折板の働き幅といった小ピッチで毎回移動させる必要があるため、毎回の移動式作業架台の移動作業に多くの手間を要する不都合がある。
【０００６】
この実情に鑑み、本発明の主たる課題は、屋根葺き工事の能率化、容易化を図ることのできる屋根葺き方法を提供する点にある。
【課題を解決するための手段】
【０００７】
本発明による第１の特徴構成は、折板成形機で成形された折板を建物の屋根施工面に送出す折板送出工程と、
前記折板成形機を前記建物に沿って前記折板の働き幅で移動させる成形機移動工程と、
を順次繰り返して実行し、屋根葺きを行う屋根葺き方法であって、
前記建物に沿って地上で移動可能な移動式作業架台と、当該移動式作業架台上で前記建物に沿って移動可能な移動式設置台と、を備え、
前記移動式設置台上に前記折板成形機を設置し、
前記成形機移動工程は、前記移動式作業架台を移動させる架台移動工程と、前記移動式作業架台に対して前記移動式設置台を移動させる設置台移動工程と、を備えている点にある。
【０００８】
上記構成によれば、屋根葺き施工現場において、屋根施工面の折板敷設対象列に折板成形機を移動させ、折板成形機で成形された折板を建物の屋根施工面に送り出して屋根葺きを実行するので、他の場所で成形された折板を不安定な屋根上において多人数で１枚ずつ運ぶ作業がなくなり、省人化を図りながら安全に屋根葺きを行うことができる。
特に、本発明では、建物に沿って地上で移動可能な移動式作業架台と、移動式作業架台上で建物に沿って移動可能で、且つ、折板成形機を設置してある移動式設置台とを備えさせてある。これにより、成形機移動工程は、移動式作業架台に対して折板成形機を備えた移動式設置台を折板の働き幅分ずつ移動させる設置台移動工程と、折板成形機及び移動式設置台を含む移動式作業架台全体を、折板送出工程の実行回数の合計働き幅分を移動させる架台移動工程との組み合わせで実行することが可能になる。
したがって、移動式作業架台全体を折板の働き幅分ずつ移動させる従来方法に比較して、移動式設置台を小さな駆動力で折板の働き幅分ずつ的確、容易に移動させることができ、且つ、移動式作業架台全体を設置台移動工程の実行回数の合計働き幅分で一挙に能率良く移動させることができる。これにより、屋根葺き工事の能率化、容易化を図ることができる。
【０００９】
本発明による第２の特徴構成は、前記成形機移動工程は、前記設置台移動工程を設定回数繰り返し実行して、前記折板成形機を前記建物に沿って前記折板の働き幅分ずつ移動させるとともに、当該設置台移動工程を設定回数実行する毎に、前記移動式設置台を初期位置側に戻しつつ前記架台移動工程を実行して、前記移動式作業架台を前記建物に沿って前記折板送出工程の実行回数による合計働き幅分を移動させる点にある。
【００１０】
上記構成によれば、設置台移動工程を設定回数実行する毎に、移動式作業架台上の移動式設置台を初期位置側に戻すとともに、移動式作業架台全体を、折板送出工程の実行回数の合計働き幅分だけ一挙に移動させるため、屋根葺き工事の効率化を図りながら、折板成形機の位置決めを的確、容易に調整することができる。
【００１１】
本発明による第３の特徴構成は、前記折板の加工素材である薄鉄板を巻いたコイルを支持するコイル支持部が、前記折板成形機の上部に配設されている点にある。
【００１２】
上記構成によれば、折板成形機の上部スペースを利用してコイル支持部を配置することにより、例えば、折板成形機とコイル支持部とを直列状態で配置する場合に比較して
移動式設置台のコンパクト化を図ることができる。しかも、折板成形機の上部は移動式設置台の構成部材が少ないため、コイル支持部に対するコイルの搬入動線を容易に確保することができる。
【図面の簡単な説明】
【００１３】
【図１】屋根葺き設備と建物の側面図
【図２】屋根葺き設備の側面図
【図３】屋根葺き設備の正面図
【図４】屋根葺き設備の平面図
【図５】屋根葺き設備の折板成形機の側面図
【図６】下葺き用折板の引き出しガイド部の正面図（ａ）と側面図（ｂ）
【図７】タイトフレームと折板の係合前の斜視図（ａ）と係合途中の正面図（ｂ）及び係合状態の要部の正面図（ｃ）
【図８】上葺き用断熱金具と継金具の連結前の斜視図（ａ）と連結後の正面図（ｂ）
【図９】上葺き用折板の引き出しガイド部の正面図（ａ）と上葺き用折板の敷込み後の正面図（ｂ）
【発明を実施するための形態】
【００１４】
〔第１実施形態〕
図１は、倉庫、工場建屋、体育館など、折板屋根構造を備えた建物１の屋根葺き工事を示す。建物１は、例えば、柱１１をＳ造（鉄骨造）＋ＳＲＣ造（鉄骨鉄筋コンクリート造）とし、梁１２をＳ造（鉄骨造）とする。建物１のコンクリート躯体工事に先立ち、屋根葺き工事を実施する。この屋根葺き工事に用いられる屋根葺き設備には、図２〜図５に示すように、建物１に沿って地上で移動可能な移動式作業架台２と、当該移動式作業架台２上で建物１に沿って移動可能な移動式設置台５と、が備えられ、移動式設置台５上には、帯状の薄鉄板（例えば、ガルバリウム鋼板（登録商標）等）９を所定形状の折板６（図６参照）に成形する折板成形機４が設置されている。
【００１５】
移動式作業架台２は、図２〜図４に示すように、走行部２０と、当該走行部２０の走行基台２１の上部に構築されるベント支保工３０と、当該ベント支保工３０の上部に構築される折板成形作業部４０とからなる。
移動式作業架台２の大部分を占めるベント支保工３０は、図２、図３、図５に示すように、多数の支柱３１、支柱３１間に架設される多数の交差ブレース３２及び水平繋ぎ部材３３、水平繋ぎ部材３３の設置箇所に設けられる対角水平ブレース（図示省略）、四角形に枠組みされた支柱３１の上下複数個所に水平姿勢で架設されるステージ３４等が備えられている。
【００１６】
移動式作業架台２の走行部２０は、図２、図３、図５に示すように、建物１の一側面側の地面に、建物１の一側面に沿って一対のＨ形鋼製の第１移動ガイド桁２２を水平姿勢で平行に配設し、走行基台２１には、第１移動ガイド桁２２の上面を転動する多数の第１走行ローラー（例えば、ヒルマンローラー）２３が設けられている。両第１移動ガイド桁２２の各々は、地面に敷設された敷鉄板（図省略）上に配置されている。
また、走行部２０の走行基台２１は、図２、図３に示すように、ベント支保工３０の支柱３１のうち、移動式作業架台２の移動方向に沿う列単位の支柱３１群を支持する複数本（本実施形態では４本）のＨ形鋼製の上側敷桁２４と、移動式作業架台２の移動方向に対して直交する姿勢で上側敷桁２４を支持する複数本（本実施形態では１０本）のＨ形鋼製の下側敷桁２５とを格子状に組付けて構成されている。
第１走行ローラー２３は、移動式作業架台２の移動方向に対する直交方向の両外側端に位置する下側敷桁２５のうち、上側敷桁２４と交差する交差部位に配置されている。
【００１７】
移動式作業架台２の第１走行ローラー２３を第１移動ガイド桁２２に沿って移動させる移動力付与手段としては、人力又は動力による種々の移動力付与形態が存在し、それらの何れの移動力付与形態も好適に用いることができる。例えば、走行基台２１の上側敷桁２４と第１移動ガイド桁２２との間に横引き用ワイヤ及びチルホールウインチを配設して、チルホールウインチの手動巻き操作で走行基台２１に移動力を付与する方法、或いは、走行基台２１の上側敷桁２４に連結した横引き用ワイヤを介して建設機械（バックホー、油圧ショベル、パワーショベル等）で牽引する方法等がある。
【００１８】
移動式作業架台２上での移動式設置台５の一回当たりの移動量は、折板６の働き幅Ｗ分（図８、図９参照）となり、この折板６の働き幅Ｗ分を１ピッチとして複数回繰り返す設定回数（本実施形態の設定回数は１９回）を実行する。移動式作業架台２は、移動式設置台５の働き幅Ｗ分での移動を設定回数実行する毎に、折板成形機４で成形された折板６を建物１の屋根施工面に送出する折板送出工程の実行回数による合計働き幅分（本実施形態では、２０枚の折板６を敷設するため、第２番目の折板６から移動式設置台５の移動を１９回繰り返すことになり、合計働き幅分は２０枚分の折板６の働き幅Ｗの合計となる）を移動させる。
【００１９】
移動式作業架台２の折板成形作業部４０には、図３〜図５に示すように、ベント支保工３０の支柱３１のうち、移動式作業架台２の移動方向に対する直交方向に沿う列単位の支柱３１群の上部に架設される複数本の（本実施形態では１０本）のＨ形鋼製の枕桁４１と、全ての枕桁４１の上面に渡る状態で移動式作業架台２の移動方向に沿って配設される一対のＨ形鋼製の受桁をもって構成される第２移動ガイド桁４２と、が備えられている。
また、図４に示すように、ベント支保工３０の支柱３１の上部には、枕桁４１が上方側に露出する状態で鋼製の第１足場板４３が敷設され、ベント支保工３０の上面全域に移動式設置台５の移動作業等を行うための移動作業ステージ４４が構築されている。
【００２０】
移動式設置台５には、それの移動方向に対する直交方向に沿って折板成形機４を据付可能な大きに構成されたＨ形鋼製の走行台枠５０と、走行台枠５０の四箇所に立設されたＨ形鋼製の第２支柱５１と、第２支柱５１の上部に架設されたＨ形鋼製の上側据付枠５２と、が備えられている。
上側据付枠５２には、図４、図５に示すように、所定長さの帯状の薄鉄板９をロール状に巻き取ってあるコイル７を繰り出し回転自在に支持するコイル台（コイル支持部の一例）８と、当該コイル台８に支持されたコイル７から繰り出される帯状の薄鉄板９を側面視において略横向きＵの字状に屈曲させながら折板成形機４に供給案内する供給ガイド部１０と、が設けられている。
【００２１】
走行台枠５０における折板成形機４の周囲には、図４に示すように、鋼製の第２足場板５３が敷設され、折板成形機４で成形作業等を行うための成形作業ステージ５４が構築されている。上側据付枠５２におけるコイル台８の周囲にも、鋼製の第３足場板５５が敷設され、コイル台８に対するコイル供給作業等を行うためのコイル作業ステージ５６が構築されている。
【００２２】
走行台枠５０は、図４、図５に示すように、移動方向に対する直交方向に沿う長尺な一対のＨ形鋼製の第１受梁５７と、移動方向に沿う短尺な複数のＨ形鋼製の第２受梁（図示省略）とを枠組みして構成されている。一対の第１受梁５７には、折板成形作業部４０に設けられている一対の第２移動ガイド桁４２の上面を転動する複数の第２走行ローラー（例えば、ヒルマンローラー）５９が設けられている。
第２走行ローラー５９は、図４に示すように、第２移動ガイド桁４２と交差する第１受梁５７の交差箇所に設けられている。この第２走行ローラー５９の支持ケース５９Ａにおける屋根葺き時の移動方向下手側の側面は、折板６の働き幅に相当する移動ピッチで各第２移動ガイド桁４２に取付けられるストッパー部材４９と当接するストッパー面５９ａに構成されている。
【００２３】
尚、本実施形態では、図４に示すように、各第２移動ガイド桁４２における移動式設置台５の移動領域の全域に、所定数のストッパー部材４９が折板６の働き幅に相当する移動ピッチで脱着自在に取付けられている。そのため、移動式設置台５が折板６の働き幅Ｗに相当する移動ピッチ分だけ移動すると、移動式設置台５側の第２走行ローラー５９の支持ケース５９Ａのストッパー面５９ａが各第２移動ガイド桁４２のストッパー部材４９に当接して、それ以上の移動式設置台５の移動は阻止される。移動式設置台５の次の移動が開始される前に、第２走行ローラー５９の支持ケース５９Ａのストッパー面５９ａに当接しているストッパー部材４９は撤去される。
【００２４】
移動式設置台５の第２走行ローラー５９を第２移動ガイド桁４２に沿って移動させる移動力付与手段としては、人力又は動力による種々の移動力付与形態が存在し、それらの何れの移動力付与形態も好適に用いることができる。本実施形態では、図示は省略するが、移動式設置台５の第１受梁５７と移動式作業架台２の折板成形作業部４０における枕桁４１との間に、横引き用ワイヤ及びチェーンブロック等の電動式ウインチを配設して、電動式ウインチの操作により、移動式設置台５を折板６の働き幅Ｗに相当する移動ピッチで移動させる。
【００２５】
折板成形機４は、多数の成形ロールを備え、コイル７から繰り出される帯状の薄鉄板９を連続搬送しながら所定形状の折板６に成形する。本実施形態では、図６に示すように、はぜ締めタイプの折板６を成形する。このはぜ締めタイプの折板６は、水平な底板部６１と、当該底板部６１の幅方向両側の側辺から外方上方に向かって斜めに延びるウェブ６２と、各ウェブ６２の上端から外方に水平に延びる天板部６３と、を備える。
【００２６】
一方の天板部６３の先端には、折板６の幅方向内方側に開口するコの字の掛止凸部６４が折り曲げ形成されている。他方の天板部６３の先端には、折板６の幅方向外方側に突出する略横向きＶ字状の掛止凹部６５が折り曲げ形成されている。
そして、折板６の掛止凸部６４には、隣接する折板６の掛止凹部６５が掛止され、この隣接する両折板６の掛止凸部６４と掛止凹部６５とをもって立巻きはぜ６６が構成されている。掛止された両折板６の掛止凸部６４と掛止凹部６５は、立巻きはぜ６６に沿って自動走行する図示省略の電動シーマ（締め機）により、図７の（ｃ）に示すように、巻き締めして強固に締結される。
【００２７】
また、図６に示すように、各ウェブ６２の傾斜方向の二箇所の各々には、折板６の長手方向視において、折板６の幅方向内方側に略Ｌ字状に屈曲する係合凹部６７が折り曲げ形成されている。図７の（ａ）〜（ｃ）に示すように、建物１の屋根施工面の勾配方向に所定間隔を置いて配置される多数の受梁１３の上面には、タイトフレーム１４が溶接等で固着されている。各タイトフレーム１４のうち、折板６の両ウェブ６２に対応する両傾斜フレーム部１４Ａには、折板６の各ウェブ６２の係合凹部６７と係合可能な第１係合爪１４Ｂが形成されている。
タイトフレーム１４の両傾斜フレーム部１４Ａ間には、折板成形機４の送り力で送出されてきた折板６を安定姿勢で保持可能な折板装着凹部１４Ｃが形成されている。
【００２８】
さらに、折板６の各ウェブ６２の係合凹部６７は、図８、図９に示すように、屋根下葺き側の折板６のうち、受梁１３のタイトフレーム１４に対応する位置に設けられる上葺き用断熱金具１５の第２係合爪１５Ａと係合可能に構成されている。
上葺き用断熱金具１５は、屋根下葺き側の折板６における下方側の両係合凹部６７の外面に対して係合可能な第３係合爪１５Ｂを下端に有する一対の脚部１５Ｃと、折板６の両ウェブ６２と同じ傾斜角度で両脚部１５Ｃの上端に連続する傾斜部１５Ｄと、両傾斜部１５Ｄの上端を繋ぐ繋ぎ部１５Ｅと、を有する。
第２係合爪１５Ａは、図８に示すように、両傾斜部１５Ｄの傾斜方向の二箇所にそれぞれ設けられている。
また、隣接配置される両上葺き用断熱金具１５は、図８に示すように、継金具１６で固定連結されている。継金具１６と両上葺き用断熱金具１５の脚部１５Ｃとは、脚部１５Ｃに固着されたボルト１７に対するナット１８の螺合操作により固定連結されている。
【００２９】
次に、上述の屋根葺き設備を用いた屋根葺き方法について詳述する。
屋根葺き方法は、折板成形機４で成形された折板６を建物１の屋根施工面に送出す折板送出工程と、折板成形機４を建物１に沿って折板６の働き幅Ｗで移動させる成形機移動工程と、を順次繰り返して実行し、屋根葺きを行う。
成形機移動工程は、移動式作業架台２を移動させる架台移動工程と、移動式作業架台２に対して移動式設置台５を移動させる設置台移動工程と、を備えている。
そして、本発明の屋根葺き方法の成形機移動工程は、設置台移動工程を設定された複数回繰り返し実行して、折板成形機４を建物１に沿って折板６の働き幅Ｗ分ずつ移動させるとともに、当該設置台移動工程を設定回数実行する毎に、移動式設置台５を初期位置側に戻しつつ架台移動工程を実行して、移動式作業架台２を建物１に沿って折板送出工程の実行回数による合計働き幅分を移動させる。
【００３０】
本発明の屋根葺き方法を以下において具体的に説明する。
［１］屋根下葺き準備工程
移動式作業架台２上の移動式設置台５は、第２移動ガイド桁４２に沿った移動経路の一端側の初期位置に配置し、且つ、移動式設置台５上の折板成形機４の折板送出中心位置は、建物１の屋根施工面における第１番目の折板敷設対象列の中心に合致する位置に配置する。また、折板成形機４は、折板６の送出方向が建物１の屋根施工面の勾配と略同一又はそれに近い傾斜方向となるように傾きを調整する。
移動式作業架台２側においては、図２に示すように、走行基台２１の下側敷桁２５の複数個所と地面（敷鉄板）との間に配置したスチフナージャッキ７０で固定（架台固定手段に一例）するとともに、下側敷桁２５を移動経路に設けた移動防止鋼材等の固定部に固定（架台固定手段に一例）する。
【００３１】
ベント支保工３０の上面全域に構築された移動作業ステージ４４においては、図４に示すように、初期位置にある移動式設置台５の第２走行ローラー５９の支持ケース５９Ａのストッパー面５９ａをマーキングの基準面にする。このストッパー面５９ａを基準にして、各第２移動ガイド桁４２における移動式設置台５の移動領域の全域に、折板６の働き幅Ｗ分を移動式作業架台２の一回分の移動量としてマーキングする。全てのマーキング位置に、第２走行ローラー５９の支持ケース５９Ａのストッパー面５９ａと当接可能なストッパー部材４９を脱着自在に取付ける。
【００３２】
また、図２、図５に示すように、移動式設置台５の上側据付枠５２上のコイル台８にはコイル７を装着し、コイル７から繰り出される帯状の薄鉄板９を供給ガイド部１０に挿通する。帯状の薄鉄板９は側面視において略横向きＵの字状に屈曲案内されながら折板成形機４に供給される。
【００３３】
［２］折板送出工程
折板成形機４を駆動し、コイル７から繰り出される帯状の薄鉄板９を連続搬送しながら所定形状の折板６に成形する。本実施形態では、図６に示すように、はぜ締めタイプの折板６を成形する。成形された折板６は折板成形機４の送り力で送出される。そのため、折板成形機４から送出される折板６の先端部を作業者の把持している吊り上げ紐等で持ち上げることにより、建物１の屋根施工面の勾配方向に所定間隔を置いて配置されている多数の受梁１３のタイトフレーム１４のうち、折板敷設対象列の折板装着凹部１４Ｃを簡単に通過させることができる。
【００３４】
このとき、折板敷設対象列の折板装着凹部１４Ｃの少なくとも一部には、図６に示す送出ガイド具８０を配置する。この送出ガイド具８０は、図６（ａ）に示すように、タイトフレーム１４の取付け板１４Ｄ上に配置可能なベース部８１に、タイトフレーム１４の両傾斜フレーム部１４Ａの第１係合爪１４Ｂと接触しない高さ位置で折板６を移動自在に受け止めるガイドローラー８２と、タイトフレーム１４の両傾斜フレーム部１４Ａに外嵌装着可能な外嵌装着体８３とが設けられている。また、ベース部８１には、図６（ｂ）に示すように、受梁１３のフランジ１３Ａの端縁に当接可能な落ち止め片８４が一体形成されている。
【００３５】
そして、建物１の屋根施工面の第１列目の折板敷設対象列に折板６が敷設されると、送出ガイド具８０を撤去したのち、図７（ｂ）に示すように、敷設された折板６を足等で押し込むと、折板６の各ウェブ６２の傾斜方向の二箇所に形成されている係合凹部６７が、タイトフレーム１４の両傾斜フレーム部１４Ａに形成されている第１係合爪１４Ｂと係合する。これにより、第１列目の折板６が受梁１３のタイトフレーム１４に強固に取付けられる。
【００３６】
［３］設置台移動工程
図４、図５に示すように、移動式設置台５の第１受梁５７と移動式作業架台２の折板成形作業部４０における枕桁４１との間に、図示は省略するが、横引き用ワイヤ及びチェーンブロック等の電動式ウインチを配設して、電動式ウインチの操作により、移動式設置台５を折板６の働き幅Ｗに相当する移動ピッチで移動させる。
移動式設置台５が折板６の働き幅Ｗに相当する移動ピッチ分だけ移動すると、第２走行ローラー５９の支持ケース５９Ａのストッパー面５９ａが、両第２移動ガイド桁４２に取付けられている第１番目のストッパー部材４９に当接して、移動式設置台５は、第２列目となる折板敷設対象列に対応した設定成形位置に保持される。
【００３７】
［４］折板送出工程
折板成形機４を駆動し、コイル７から繰り出される帯状の薄鉄板９を連続搬送しながら所定形状の折板６に成形する。折板成形機４から送出される折板６は、第１列目の折板６と同じ要領で第２列目となる折板敷設対象列に沿って敷設する。敷設された第２列目の折板６の掛止凹部６５を、第１列目の折板６の掛止凸部６４に係合し、この状態で第２列目の折板６を押し込む。これにより、第２列目の折板６の各ウェブ６２の傾斜方向の二箇所に形成されている係合凹部６７が、タイトフレーム１４の両傾斜フレーム部１４Ａに形成されている第１係合爪１４Ｂと係合する。これにより、２列目の折板６が受梁１３のタイトフレーム１４に強固に取付けられる。
【００３８】
両折板６の掛止凸部６４と掛止凹部６５とをもって構成される立巻きはぜ６６は、これに沿って自動走行する図示省略の電動シーマ（締め機）により、図７の（ｃ）に示すように、巻き締めして強固に締結される。
【００３９】
［５］設置台移動工程
両第２移動ガイド桁４２に取付けられている第１番目のストッパー部材４９を撤去し、上述の［３］での設置台移動工程と同様に、電動式ウインチの操作により、移動式設置台５を折板６の働き幅Ｗに相当する移動ピッチで移動させる。移動式設置台５が折板６の働き幅Ｗに相当する移動ピッチ分だけ移動すると、第２走行ローラー５９の支持ケース５９Ａのストッパー面５９ａが、両第２移動ガイド桁４２に取付けられている第２番目のストッパー部材４９に当接して、移動式設置台５は、第３列目となる折板敷設対象列に対応した設定成形位置に保持される。
【００４０】
［６］屋根下葺きが完了するまでの繰り返し工程
そして、以降は、上述の［４］、［５］の工程を、移動式設置台５の設定移動回数分だけ実行する。本実施形態では、２０枚の折板６を敷設するため、第２番目の折板６から移動式設置台５の移動を１９回繰り返すことになる。折板６の働き幅Ｗは５０ｃｍに設定されているため、設置台移動工程の設定回数実行時の合計働き幅分は、１０ｍとなる。
【００４１】
［７］屋根上葺き準備工程
屋根下葺きが完了すると、移動式設置台５を初期位置に戻す。
移動式設置台５の第２走行ローラー５９の支持ケース５９Ａのストッパー面５９ａを基準にして、図４に示すように、各第２移動ガイド桁４２における移動式設置台５の移動領域の全域に、折板６の働き幅Ｗ分を移動式作業架台２の一回分の移動量としてマーキングする。全てのマーキング位置に、第２走行ローラー５９の支持ケース５９Ａのストッパー面５０ａと当接可能なストッパー部材４９を脱着自在に取付ける。
【００４２】
［８］断熱材敷設工程
図８、図９に示すように、屋根下葺き側の折板６のうち、各受梁１３のタイトフレーム１４に対応する位置に、上葺き用断熱金具１５を取付ける。各上葺き用断熱金具１５の両脚部１５Ｃの下端に形成された第３係合爪１５Ｂは、図９に示すように、屋根下葺き側の折板６における下方側の両係合凹部６７の外面に係合する。
また、隣接配置される両上葺き用断熱金具１５は、図８に示すように、継金具１６を介して固定連結する。継金具１６と両上葺き用断熱金具１５の脚部１５Ｃとは、脚部１５Ｃに固着されたボルト１７に対するナット１８の螺合操作により固定連結されている。
屋根下葺き側の折板６の上面には所定厚みの断熱材８５を敷設する。
【００４３】
［９］屋根上葺きの折板送出工程
折板成形機４を駆動し、コイル７から繰り出される帯状の薄鉄板９を連続搬送しながら所定形状の折板６に成形する。折板成形機４から送出される折板６は、屋根下葺き側の第１番目の折板６の上方に沿って敷設する。
成形された折板６は折板成形機４の送り力で送出されるため、屋根下葺き時と同様に、折板成形機４から送出される折板６の先端部を作業者の把持している吊り上げ紐等で持ち上げることにより、隣接配置される両上葺き用断熱金具１５間を容易に通過させることができる。
【００４４】
このとき、図９（ａ）に示すように、上葺き用断熱金具１５から屋根勾配方向に位置ずれした位置で、且つ、少なくとも屋根下葺き側の二つの両折板６の立巻きはぜ６６に亘る部位に、折板６を移送案内する送出ガイド体９０を架設する。この送出ガイド体９０は、断熱材８５及び上葺き用断熱金具１５の第２係合爪１５Ａと接触しない高さ位置で折板６を移動自在に受け止める。
【００４５】
そして、屋根上葺き側の第１列折目の板敷設対象列に折板６が敷設されると、送出ガイド体９０を撤去したのち、図９（ｂ）に示すように、敷設された上葺きの折板６を押し込むと、折板６の各ウェブ６２の傾斜方向の二箇所に形成されている係合凹部６７が、上葺き用断熱金具１５の第２係合爪１５Ａと係合する。これにより、上葺きの第１列目の折板６が上葺き用断熱金具１５に強固に取付けられる。
【００４６】
［１０］設置台移動工程
移動式設置台５の第１受梁５７と移動式作業架台２の折板成形作業部４０における枕桁４１との間に、図示は省略するが、横引き用ワイヤ及びチェーンブロック等の電動式ウインチを配設して、電動式ウインチの操作により、移動式設置台５を折板６の働き幅Ｗに相当する移動ピッチで移動させる。
移動式設置台５が折板６の働き幅Ｗに相当する移動ピッチ分だけ移動すると、第２走行ローラー５９の支持ケース５９Ａのストッパー面５９ａが、両第２移動ガイド桁４２に取付けられている第１番目のストッパー部材４９に当接して、移動式設置台５は、屋根上葺き側の第２列目となる折板敷設対象列に対応した設定成形位置に保持される。
【００４７】
［１１］屋根上葺きの折板送出工程
折板成形機４を駆動し、コイル７から繰り出される帯状の薄鉄板９を連続搬送しながら所定形状の折板６に成形する。折板成形機４から送出される折板６は、屋根上葺き側の第１列目の折板６と同じ要領で第２列目となる折板敷設対象列に沿って敷設する。敷設された屋根上葺き側の第２列目の折板６の掛止凹部６５を、第１列目の折板６の掛止凸部６４に係合し、この状態で第２列目の折板６を押し込む。これにより、第２列目の折板６の各ウェブ６２の傾斜方向の二箇所に形成されている係合凹部６７が、上葺き用断熱金具１５の第２係合爪１５Ａと係合する。
【００４８】
両折板６の掛止凸部６４と掛止凹部６５とをもって構成される立巻きはぜ６６は、これに沿って自動走行する図示省略の電動シーマ（締め機）により、図９の（ｂ）に示すように、巻き締めして強固に締結される。
【００４９】
［１２］設置台移動工程
両第２移動ガイド桁４２に取付けられている第１番目のストッパー部材４９を撤去し、上述の［１０］での設置台移動工程と同様に、電動式ウインチの操作により、移動式設置台５を折板６の働き幅Ｗに相当する移動ピッチで移動させる。移動式設置台５が折板６の働き幅Ｗに相当する移動ピッチ分だけ移動すると、第２走行ローラー５９の支持ケース５９Ａのストッパー面５９ａが、両第２移動ガイド桁４２に取付けられている第２番目のストッパー部材４９に当接して、移動式設置台５は、屋根上葺き側の第３列目となる折板敷設対象列に対応した設定成形位置に保持される。
【００５０】
［１３］屋根上葺きが完了するまでの繰り返し工程
そして、上述の［１１］、［１２］の工程を、移動式設置台５の設定移動回数分だけ実行する。本実施形態では、２０枚の屋根上葺き側の折板６を敷設するため、屋根上葺き側の第２番目の折板６から移動式設置台５の移動を１９回繰り返すことになる。折板６の働き幅Ｗは５０ｃｍに設定されているため、屋根上葺き側の設置台移動工程の設定回数実行時の合計働き幅分は、１０ｍとなる。
【００５１】
［１４］架台移動工程
移動式設置台５を初期位置側に戻しつつ、架台移動工程を実行して、移動式作業架台２を建物１に沿って設置台移動工程の設定回数実行時の合計働き幅分を移動させる。
移動式作業架台２を移動させるに当てっては、次の架台移動準備工程を実行する。
走行基台２１の下側敷桁２５の複数個所と地面（敷鉄板）との間に配置した架台固定手段としてのスチフナージャッキ７０による固定を解除する。
移動式作業架台２の下側敷桁２５と移動経路に設けられている架台固定手段としての移動防止鋼材等の固定部との固定連結を解除する。
移動式作業架台２の第１走行ローラー２３を第１移動ガイド桁２２に沿って移動させる移動力付与手段の準備をする。本実施形態では、走行基台２１の上側敷桁２４に連結した横引き用ワイヤを介して建設機械で牽引する準備に入る。
移動式作業架台２には、第２移動ガイド桁４２に対応する部位にストッパー面（図示省略）を形成する。設置台移動工程の設定回数実行時の合計働き幅分が、移動式作業架台２の今回の移動距離になるので、第１移動ガイド桁２２の上面に、移動式作業架台２のストッパー面を基準にして、設置台移動工程の設定回数実行時の合計働き幅に相当する移動距離をマーキングし、このマーキング位置に、移動式作業架台２のストッパー面と当接可能なストッパー部材（図示省略）を取付ける。
【００５２】
移動式作業架台２の移動作業工程は、走行基台２１の上側敷桁２４に連結した横引き用ワイヤを介して建設機械で牽引し、移動式作業架台２のストッパー面が、第１移動ガイド桁２２のストパー部材に当接した時点で移動を終了する。
この移動作業工程の終了後は、次の移動後処理工程を実行する、
移動力付与手段である建設機械及び横引き用ワイヤ等を撤去する。
移動式作業架台２の走行基台２１の下側敷桁２５の複数個所と地面（敷鉄板）との間に配置したスチフナージャッキ７０で移動式作業架台２を固定する。
移動式作業架台２の下側敷桁２５を移動経路に設けられている固定部に固定連結する。
【００５３】
移動式設置台５を初期位置側に戻すタイミングは、架台移動工程を構成する架台移動準備工程、移動作業工程、移動後処理工程のいずれかと少なくとも一部が重複するタイミングで実施する。
そのため、移動式設置台５を初期位置側に戻す戻し工程の開始時点が、架台移動工程の開始時点よりも早くなってもよい。また、移動式設置台５の戻し工程の終了時点が架台移動工程の終了時点よりも遅くなってもよい。
さらに、移動式作業架台２の架台移動準備工程中に、移動式設置台５を移動経路の中央位置にまで移動させ、移動式作業架台２の移動作業工程中は、移動式設置台５が移動経路中央位置で停車保持し、移動式作業架台２の移動作業工程が終了して移動後処理工程に移行するときに、移動式設置台５を移動経路中央位置から初期位置に戻り移動するように構成してもよい。
【００５４】
上述の架台移動工程が終了すると、上述の［１］〜［１４］の工程を繰り返して実行し、建物１の屋根葺き工事を完了する。
【００５５】
〔その他の実施形態〕
（１）上述の実施形態では、はぜ締めタイプの折板６を例に挙げて説明したが、両折板６の継ぎ目に対して上方からキャップを嵌め込む嵌合タイプの折板６、或いは、両折板６の隣接端部を重ね合わせてボルト・ナットでタイトフレーム１４に固定する重ねタイプの折板６等であってもよい。
【００５６】
（２）上述の実施形態では、二重葺きの折板屋根構造について説明したが、一重葺きの折板屋根構造であってもよい。
【符号の説明】
【００５７】
１      建物
２      移動式作業架台
４      折板成形機
５      移動式設置台
６      折板
７      コイル
８      コイル支持部（コイル台）
【図１】
2019031800.tif 000003
【図２】
2019031800.tif 000004
【図３】
2019031800.tif 000005
【図４】
2019031800.tif 000006
【図５】
2019031800.tif 000007
【図６】
2019031800.tif 000008
【図７】
2019031800.tif 000009
【図８】
2019031800.tif 000010
【図９】
2019031800.tif 000011